(57)【要約】【課題】  筒状体内に毛髪を容易に且つ短時間で取り込むことのできる毛髪処理器具を提供すること。【解決手段】  本発明の毛髪処理器具１は、細長形状の毛髪保持具２と先端にフック部１０を有する毛髪挿入具とを具備し、毛髪挿入具３がそのフック部１０を毛髪保持具２の毛髪取り込み口４側に向けて保持された状態で使用される。毛髪取り込み口４及びその近傍の部位は、毛髪保持具２における他の部位よりも高剛性となされている。また、毛髪挿入具２におけるフック部１０はループ形状であってその周長が毛髪取り込み口４の周長よりも大きくなされていると共にフック部１０が変形可能になされている。【選択図】図２
2005246100.tif 000002
【特許請求の範囲】
【請求項１】
一端部に毛髪取り込み口を有する細長形状の可撓性材料からなる毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、前記毛髪取り込み口及びその近傍の部位が、前記毛髪保持具における他の部位よりも高剛性となされている毛髪処理器具。
【請求項２】
一端部に毛髪取り込み口を有する細長形状の毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、前記毛髪挿入具における前記フック部はループ形状であってその周長が前記毛髪取り込み口の周長よりも大きくなされていると共に該フック部が変形可能になされている毛髪処理器具。
【請求項３】
一端部に毛髪取り込み口を有する細長形状の毛髪保持具と、細長形状の把持部及び該把持部の先端に取り付けられた毛髪のフック部を有する毛髪挿入具とを具備し、前記毛髪挿入具がそのフック部を前記毛髪保持具の毛髪取り込み口側に向けて且つその把持部が前記毛髪取り込み口に挿通されて前記毛髪保持具に保持された状態で使用される毛髪処理器具であって、
前記毛髪処理器具は、逆錐体形状の挿入補助具を更に具備し、該挿入補助具には、該挿入補助具をその長さ方向に貫き且つ入口及び出口を有する貫通路が形成されており、該貫通路は前記入口から前記出口に向けて漸次縮径しており、
前記毛髪挿入具の把持部が、前記挿入補助具の貫通路を前記入口から前記出口に向けて貫通し、更に前記毛髪保持具の毛髪取り込み口に挿通されている毛髪処理器具。
【請求項４】
一端部に毛髪取り込み口を有する細長形状の可撓性材料からなる毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、
前記毛髪保持具は、一面及びこれと反対側に位置する他面を有し、該一面には、該毛髪保持具を所定の形状に巻き上げ、湾曲又は屈曲させて該一面と該他面とを当接させたときに、該一面と該他面とが接合、又は該一面同士が接合して該所定の形状を保持し得る接合部が設けられている毛髪処理器具。
【請求項５】
前記毛髪保持具が細長筒形状からなり、その一端部が前記毛髪取り込み口となっている請求項１〜４の何れかに記載の毛髪処理器具。
【請求項６】
前記毛髪処理器具の使用前に、前記毛髪挿入具が、予め前記毛髪保持具に取り付けられている請求項１〜５の何れかに記載の毛髪処理器具。
【請求項７】
前記毛髪保持具が、毛髪処理剤に対して透過性又は非透過性を有する請求項５記載の毛髪処理器具。
【請求項８】
前記毛髪保持具が、該毛髪保持具内に挿入された毛髪の巻き上げ、湾曲又は屈曲手段を有している請求項１〜４の何れかに記載の毛髪処理器具。
【請求項９】
前記毛髪保持具の他端部が開閉可能になされている請求項５記載の毛髪処理器具。
【請求項１０】
前記フック部が櫛歯を有している請求項１〜４の何れかに記載の毛髪処理器具。
【請求項１１】
前記毛髪保持具の内面に、毛髪処理剤が施されている請求項５記載の毛髪処理器具。
【請求項１２】
請求項５記載の毛髪処理器具における前記フック部に所望量の毛髪を引っかけ、この状態下に前記毛髪挿入具を前記毛髪保持具における一端部である前記毛髪取り込み口から他端部に向かって引き抜いて前記毛髪を前記毛髪保持具内に挿入し、次いで毛髪処理剤を前記毛髪取り込み口から前記毛髪保持具内に供給するか、又は毛髪処理剤を前記毛髪保持具に向けて付与する毛髪処理方法。
【請求項１３】
前記毛髪処理剤が染毛剤であり、前記毛髪保持具が該染毛剤に対して非透過性を有し、該毛髪保持具における他端部を閉じた後に、前記毛髪取り込み口から該染毛剤を該毛髪保持具内に供給する請求項１２記載の毛髪処理方法。
【発明の詳細な説明】
【技術分野】
【０００１】
本発明は、所定量の毛髪を容易に取り扱うことのできる毛髪処理器具に関する。また本発明は、該毛髪処理器具を用いた、染毛やパーマネントウエーブなどの各種毛髪処理方法に関する。
【背景技術】
【０００２】
特許文献１には、屈曲自在で且つその屈曲形状の保持が可能な塑性変形部材を筒状体の長手方向に沿って取り付けてなり、該筒状体内に毛髪を取り込んだ状態で塑性変形部材を変形させることで毛髪の巻回状態を保持する毛髪巻取具が記載されている。この毛髪巻取具は、棒状体の端部に毛髪を包囲可能な環部が一体成形されてなる毛髪取込具と共に用いられる。しかし、この毛髪巻取具は、和紙や不織布などの剛性の低い材料から構成されているので、毛髪取込具を用いて毛髪を毛髪巻取具内に取り込むときに、該毛髪巻取具の入り口が容易に変形してしまい毛髪や毛髪取込具の環部が引っかかりやすく、毛髪を毛髪巻取具内に取り込むのが容易でない。しかも、毛髪取込具の環部はプラスチック材料から構成されているので、毛髪巻取具の入り口に毛髪や毛髪取込具の環部が一層引っかかりやすい。また、毛髪取込具の環部は、その大きさが大きいほど毛髪を該環部内に入れ易いが、この毛髪取込具では、その材質上の制限から、その環部の大きさを、毛髪巻取具の入り口の大きさよりも大きくすることが出来ない。
【０００３】
【特許文献１】特開平１０−１９２０３６号公報
【発明の開示】
【発明が解決しようとする課題】
【０００４】
従って、本発明は、筒状体内に毛髪を容易に且つ短時間で取り込むことのできる毛髪処理器具を提供することを目的とする。
また本発明は、染毛やパーマネントウエーブなどを容易に行い得る毛髪処理方法を提供することを目的とする。
【課題を解決するための手段】
【０００５】
本発明は、一端部に毛髪取り込み口を有する細長形状の可撓性材料からなる毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、前記毛髪取り込み口及びその近傍の部位が、前記毛髪保持具における他の部位よりも高剛性となされている毛髪処理器具を提供することにより前記目的を達成したものである。
【０００６】
また本発明は、一端部に毛髪取り込み口を有する細長形状の毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、前記毛髪挿入具における前記フック部はループ形状であってその周長が前記毛髪取り込み口の周長よりも大きくなされていると共に該フック部が変形可能になされている毛髪処理器具を提供することにより前記目的を達成したものである。
【０００７】
また本発明は、一端部に毛髪取り込み口を有する細長形状の毛髪保持具と、細長形状の把持部及び該把持部の先端に取り付けられた毛髪のフック部を有する毛髪挿入具とを具備し、前記毛髪挿入具がそのフック部を前記毛髪保持具の毛髪取り込み口側に向けて且つその把持部が前記毛髪取り込み口に挿通されて前記毛髪保持具に保持された状態で使用される毛髪処理器具であって、
前記毛髪処理器具は、逆錐体形状の挿入補助具を更に具備し、該挿入補助具には、該挿入補助具をその長さ方向に貫き且つ入口及び出口を有する貫通路が形成されており、該貫通路は前記入口から前記出口に向けて漸次縮径しており、
前記毛髪挿入具の把持部が、前記挿入補助具の貫通路を前記入口から前記出口に向けて貫通し、更に前記毛髪保持具の毛髪取り込み口に挿通されている毛髪処理器具を提供することにより前記目的を達成したものである。
【０００８】
また本発明は、一端部に毛髪取り込み口を有する細長形状の可撓性材料からなる毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、
前記毛髪保持具は、一面及びこれと反対側に位置する他面を有し、該一面には、該毛髪保持具を所定の形状に巻き上げ、湾曲又は屈曲させて該一面と該他面とを当接させたときに、該一面と該他面とが接合、又は該一面同士が接合して該所定の形状を保持し得る接合部が設けられている毛髪処理器具を提供することにより前記目的を達成したものである。
【０００９】
また本発明は、前記毛髪処理器具における前記フック部に所望量の毛髪を引っかけ、この状態下に前記毛髪挿入具を前記毛髪保持具における一端部である前記毛髪取り込み口から他端部に向かって引き抜いて前記毛髪を前記毛髪保持具内に挿入し、次いで毛髪処理剤を前記毛髪取り込み口から前記毛髪保持具内に供給するか、又は毛髪処理剤を前記毛髪保持具に向けて付与する毛髪処理方法を提供することにより前記目的を達成したものである。
【発明の効果】
【００１０】
本発明の毛髪処理器具によれば、筒状体内に毛髪を容易に且つ短時間で取り込むことができる。
また本発明の毛髪処理方法によれば、染毛やパーマネントウエーブなどの各種毛髪処理を容易に行うことができる。特に本発明の毛髪処理方法は、毛髪の部分染めに有効である。
【発明を実施するための最良の形態】
【００１１】
以下本発明を、その好ましい実施形態に基づき図面を参照しながら説明する。図１には、本発明の毛髪処理器具の一実施形態の斜視図が示されている。毛髪処理器具１は、細長形状であり、毛髪の保持が可能になされている毛髪保持具２と毛髪挿入具３とを具備している。
【００１２】
毛髪保持具２は細長筒形状をしており、可撓性材料から構成されている。毛髪は毛髪保持具２内に挿入されて保持される。毛髪保持具２は、一端部及び他端部を有しており、各端部は開口している。両端部のうち上端部は毛髪取り込み口４となっている。他端部である下端部には、該下端部の開閉手段としてのチャック５が取り付けられており、該下端部がチャック５によって開閉可能になされている。この開閉手段としては、チャックの他に、面ファスナ、粘着テープ、自己接着性テープ〔例えば仁礼工業製のふしぎテープ（商品名）〕などを用いることもできる。毛髪保持具２の長さは、処理すべき毛髪の長さに応じて適切な長さとされ、好ましくは処理すべき毛髪の長さよりも長くなっている。毛髪保持具２の長さは一般に５０〜６００ｍｍ程度の範囲である。
【００１３】
毛髪取り込み口４は、その開口端に向かうにつれて漸次拡開した漏斗状の形状をしている。これによって、毛髪挿入具３を用いて毛髪を毛髪保持具２内に挿入する際、毛髪取り込み口４に毛髪や毛髪挿入具３が引っかかり難くなり、毛髪を取り込み易くなる。毛髪取り込み口４及びその近傍の部位は、毛髪保持具２における他の部位よりも高剛性となされている。これによって、毛髪を取り込む際に毛髪取り込み口４に、毛髪や毛髪挿入具３が引かったとしても毛髪取り込み口４が変形しづらくなり、毛髪を取り込み易くなる。毛髪取り込み口４及びその近傍の部位をその他の部位よりも高剛性とするには、例えば毛髪保持具２がプラスチック成形により製造される場合にはこれらの部位をその他の部位よりも肉厚に成形すればよい。また毛髪保持具２が不織布やネットなどから構成される場合には、毛髪取り込み口４及びその近傍の部位に高剛性の材料、例えばプラスチック板や板紙などを貼り付ければよい。
【００１４】
毛髪取り込み口４は、その開口端が毛髪を取り込みやすい形状となっていることが好ましい。例えば毛髪取り込み口４の開口端の形状が、円形又は長径と短径との比が１に近い楕円形であると毛髪を取り込み易い。これに加えて、毛髪取り込み口４の開口端の最大幅Ｗ（図１参照）が、５〜２００ｍｍ、特に１０〜９０ｍｍであると、毛髪の取り込み易さと、取り扱い性及び操作性とがバランスするので好ましい。
【００１５】
毛髪保持具２を構成する材料としては、各種可撓性材料が用いられる。その例としては、不織布、多孔性又は非多孔性の樹脂フィルム、紙、樹脂ネット、又はこれらの複合体などが挙げられ、毛髪処理器具１の具体的用途に応じて適切な材料が選択される。例えば、毛髪保持具２内に挿入された状態の毛髪に毛髪処理剤を施す場合、挿入されている毛髪のみに毛髪処理剤を施したいときには、該毛髪処理剤に対して非透過性を有する材料を用いればよい。また、挿入されている毛髪に対して毛髪保持具２の外部から毛髪処理剤を施したいときには、該毛髪処理剤に対して透過性を有する材料を用いればよい。
【００１６】
図１に示すように、毛髪保持具２には、その外側面に、該毛髪保持具２の巻き上げ手段としての巻き上げ用糸６がスパイラル状に巻き付けられている。巻き上げ用糸６は、毛髪保持具２内に挿入された状態の毛髪を、該毛髪保持具２ごと巻き上げる手段として用いられる。本明細書において巻き上げとは、毛髪に所定のくせ付けをすること全般を意味し、本来の巻き上げに加えて例えば湾曲や屈曲なども包含される。巻き上げ用糸６は、毛髪保持具２にスパイラル状に間欠的に設けられた複数の挿通孔７に挿通されている。挿通孔７は、毛髪保持具２を正面から視たときに、長手方向の両側部に設けられている。各側部に設けられている各挿通孔７は所定間隔を置いて配列され、挿通孔列８Ａ，８Ｂを形成している。また、各挿通孔７は、毛髪保持具２の高さ方向（長手方向）に関し、毛髪保持具２の側面に沿って各挿通孔を順次結んだときにスパイラル状の軌跡を描くように配列されている。
【００１７】
各挿通孔７は近接して配された一対の小孔７Ａ，７Ｂからなる。小孔７Ａ，７Ｂは、巻き上げ用糸６が挿通できる程度に開孔していればよく、この点から、毛髪保持具２に小切込を形成し、これを小孔として用いることもできる。巻き上げ用糸６が、毛髪保持具２の外側面に巻き付けられていることは前述の通りであるが、該巻き上げ用糸６は、一対の小孔７Ａ，７Ｂ間のみにおいて毛髪保持具２の内側面に配されている。これによって巻き上げ用糸６は毛髪保持具２の外側面に保持されることになる。
【００１８】
巻き上げ用糸６は、その一端が、毛髪保持具２における最下端に位置する挿通孔７（図１では、挿通孔列８Ａの最下端）の位置において引き抜かれないようになされている。具体的には、巻き上げ用糸６の一端を毛髪保持具２に固定することで、その引き抜きを防止している。巻き上げ用糸６の固定には、接着剤による接着、熱融着などが用いられる。また、巻き上げ用糸６の一端に、小孔よりも大きな結び目を作り、この結び目によって巻き上げ用糸６を小孔に係止することで、巻き上げ用糸６の引き抜きを防止してもよい。一方、毛髪保持具２における最上端に位置する挿通孔７（図１では、挿通孔列８Ｂの最上端）においては、巻き上げ用糸６は自由状態になっている。これによって、巻き上げ用糸６の他端を引っ張ると、毛髪保持具２は、スパイラル状に変形することになる（これについては更に後述する）。
【００１９】
巻き上げ用糸６は、これを引っ張って毛髪の巻き上げ操作を行うときに、引きちぎれない程度の強度及び巻き上げ操作を円滑に行い得る柔軟性を有していることが好ましく、この点から、各種樹脂などの合成物、木綿や麻などの天然物、レーヨンなどの半天然物、各種金属、又はこれらの複合体などから構成されていることが好ましい。また、巻き上げ用糸６は、糸状のものに限られず、例えば細長い帯状のものであってもよい。
【００２０】
次に毛髪挿入具３について引き続き図１を参照しながら説明する。毛髪挿入具３は、細長形状の把持部９と、該把持部９の先端に取り付けられたフック部１０とを備えている。フック部１０は、毛髪保持具２内に挿入される毛髪を引っかけるために用いられ、変形可能になされている。本実施形態の毛髪挿入具３は、一本の線材から構成されている。詳細には、その一端に小ループ１１を形成し、その他端をこの小ループ１１に通すことで大ループからなるフック部１０を形成している。更に大ループの所定位置に小ループ１１を通過しない大きさの係止部１２が設けられている。この毛髪挿入具３を使用するに際しては、フック部１０を、毛髪を引っかけやすい大きさまで広げて毛髪を引っかける。把持部９を引っ張ることでフック部１０を縮める。この操作によってフック部１０は係止部１２で規制される大きさにまで縮められる。毛髪挿入具３を構成する線材の素材としては、前述した巻き上げ用糸６と同様のものを用いることができる。特に、操作性、取り扱い性及び毛髪処理剤に対する耐食性などの点から、金属製の針金を合成樹脂で被覆したものが好ましく用いられる。
【００２１】
毛髪挿入具３は毛髪保持具２内に挿入された状態で使用される。詳細には、図１に示すように、毛髪挿入具３のフック部１０を毛髪保持具２の毛髪取り込み口４側に向けて挿入された状態で使用される。この場合、使用前に毛髪挿入具３が予め個別に毛髪保持具２に取り付けられた状態の毛髪処理器具１を用いてもよく、或いは毛髪処理器具１を使用するときに毛髪挿入具３を毛髪保持具２に取り付けてもよいが、予め取り付けられていることにより、製品の製造工程において最適な状態で毛髪保持具２に取り付けることができ、使用者が使用時に取り付ける場合に比べて、取り付けの失敗がない。また、毛髪挿入具３には、取り付けるのに必要とされる強度が要求されないので、糸やフィルムなどの安価な素材に単純な加工を施したものを用いることができ、毛髪挿入具３を生産性高く、低コストで製造できる。毛髪処理器具１を使用するに先立ち、毛髪挿入具３のフック部１０を、毛髪保持具２の毛髪取り込み口４から突出させる。そして、フック部１０に所望量の毛髪を引っかけ、この状態下に毛髪挿入具３の他端部から引き出されている毛髪挿入具３の把持部９を引っ張る。これによって、フック部１０に引っかけられている毛髪がフック部１０と共に毛髪保持具２内に挿入される。フック部１０が毛髪保持具２内に引き入れられると、該毛髪保持具２内の所定位置において、フック部１０による毛髪の引っかけが解除され、毛髪は毛髪保持具２内に円滑に挿入される。フック部１０は、毛髪保持具２の下端部を通じて毛髪保持具２の外に引き出される。この説明から明らかなように、毛髪挿入具３の全長は毛髪保持具２の全長よりも長くなっている。
【００２２】
毛髪挿入具３においては、そのフック部１０が変形可能になされているので、該フック部１０に所望量の毛髪を引っかけて毛髪保持具２内に挿入する際に、仮にフック部１０が毛髪取り込み口４に当たっても、それに対応して変形するので、毛髪の挿入を円滑に行うことができる。特に本実施形態においては、毛髪取り込み口４及びその近傍が高剛性となっているので、フック部１０が毛髪取り込み口４に当たった時に該フック部１０の変形が促進され、毛髪の挿入を一層円滑に行うことができる。
【００２３】
更に、毛髪挿入具３においては、フック部１０の周長が、毛髪保持具２における毛髪取り込み口４の周長よりも大きくなされている。フック部１０の周長は、その値が大きいほど毛髪の引っかけを容易に行うことができるが、フック部１０が変形可能になっていない場合には、フック部１０の周長は毛髪取り込み口４の周長で規制されてしまい、フック部１０の周長を大きくすることに制限がある。しかし、本実施形態におけるフック部１０は前述の通り変形可能になっているので、その周長を毛髪取り込み口４の周長よりも大きくすることができ、その結果フック部１０への毛髪の引っかけを容易に行うことが可能となる。本実施形態のフック部１０における周長とは、フック部１０の縮小が係止部１２で規制された状態での値である。フック部の周長は、毛髪取り込み口４の周長の１倍超１０倍以下、特に１倍超５倍以下であることが、フック部１０への毛髪の引っかけを容易に行い得る点、並びに毛髪挿入具３の操作性及び取り扱い性の点から好ましい。同様の理由から、フック部１０の周長の値そのものは４０〜５００ｍｍ、特に８０〜２００ｍｍであることが好ましい。
【００２４】
同様の理由により、毛髪挿入具３においては、フック部１０の最大幅Ｔ（図１参照）が、毛髪保持具２における毛髪取り込み口４の最大幅Ｗよりも大きくなされている。フック部１０の最大幅Ｔは、フック部１０を種々の形状に変形させて最も幅が広くなる形状のときの当該幅をいう。本実施形態のフック部１０における最大幅Ｔとは、フック部１０の縮小が係止部１２で規制された状態での値である。フック部の最大幅Ｔは、毛髪取り込み口４の最大幅Ｗの１倍超１０倍以下、特に１倍超５倍以下であることが、フック部１０への毛髪の引っかけを容易に行い得る点、並びに毛髪挿入具３の操作性及び取り扱い性の点から好ましい。同様の理由から、フック部１０の最大幅Ｔの値そのものは２０〜２５０ｍｍ、特に４０〜１００ｍｍであることが好ましい。
【００２５】
図には示していないが、フック部１０は櫛歯を有していることが好ましい。これによって、毛髪保持具２内に毛髪を挿入する際に、毛髪を梳く効果が付与され、毛髪保持具２内に毛髪が均一に分散され、後述する毛髪処理を均一に行うことができる。この点から、櫛歯はフック部１０を構成するループの内方（即ち、ループの中心方向）を向いていることが好ましい。
【００２６】
次に、本実施形態の毛髪処理器具を用いた毛髪処理方法について、染毛処理を例にとり図２（ａ）〜図２（ｅ）を参照しながら説明する。先ず図２（ａ）に示すように、毛髪保持具２内に毛髪挿入具３が挿入され、該毛髪挿入具３のフック部１０が、毛髪保持具２の毛髪取り込み口４から突出している状態の毛髪処理器具１を用意する。毛髪保持具２の下端部からは、毛髪挿入具３の把持部９の端部が引き出されている。本実施形態においては、毛髪保持具２として、染毛剤に対して非透過性の材料、例えば合成樹脂製のフィルムから構成されているものを用いている。この状態下に、毛髪挿入具３のフック部１０に所望量の毛髪を通して引っかける。図示するように、フック部１０は毛髪の根元付近に位置させることが、挿入を確実にする点から好ましい。
【００２７】
次に図２（ｂ）に示すように、毛髪保持具２の毛髪取り込み口４付近の位置を一方の手（図示せず）で軽く押さえる。また毛髪保持具２の下端部から引き出されている毛髪挿入具３の把持部９の端部を他方の手（図示せず）で把持し、毛髪挿入具３を毛髪保持具２の外に引き出す。その操作によって、フック部１０に引っかけられていた毛髪が首尾良く毛髪保持具２内に挿入、収納される。毛髪保持具２はその全長が、挿入すべき毛髪の長さよりも長くなっているので、毛髪はその全長に亘って毛髪保持具２内に挿入される。
【００２８】
毛髪が毛髪保持具２内に挿入されたら、図２（ｃ）に示すように、毛髪保持具２の下端部に設けられている開閉手段としてのチャック５を閉じ、該下端部を閉じる。次いで、毛髪保持具２の毛髪取り込み口４から染毛剤を供給し、毛髪の全体に行き渡らせる。前述の通り、毛髪保持具２は、染毛剤に対して非透過性の材料から構成されており且つ毛髪保持具２の下端部は閉じられているので、染毛剤が毛髪保持具２の外に漏れ出すことはない。その結果、毛髪保持具２に挿入されている毛髪以外の毛髪が染毛されることが防止される。従って、本毛髪処理方法は、毛髪の部分的な染毛に特に効果的である。また、染毛剤は、毛髪保持具２内に比較的気密状態で存在することになるので、染毛中に染毛剤に含まれている揮発成分が揮発することが防止され、染毛を効率的に行えるという利点もある。
【００２９】
次に、図２（ｄ）に示すように、毛髪保持具２の毛髪取り込み口４付近の位置を一方の手（図示せず）で軽く押さえる。この状態下に、毛髪保持具２の外側面に巻き付けられている巻き上げ用糸６の自由端を引っ張る。すると図２（ｅ）に示すように、毛髪は毛髪保持具２と共にスパイラル状に巻き上げられて、小さく纏められる。この状態を保持するために、毛髪保持具２から引き出されている巻き上げ用糸６の根元を、固定手段としてのクリップ１２で係止する。毛髪を巻き上げて小さく纏める理由は、当該毛髪を所望の形状に保持すると同時に、当該毛髪近傍の毛髪を、他の毛髪保持具２内に挿入する操作を行うときの操作性を良好にするためである。固定手段としては、クリップの他に、（１）毛髪取り込み口４に切り込みを入れ、該切り込みに巻き上げ用糸６を引っかける方法、（２）毛髪保持具２の最上端に位置する毛髪挿通孔（後述する図９等参照）で返し縫いをする方法、（３）巻き上げ用糸６との摩擦力を高める部材を設ける方法、（４）巻き上げ用糸６に結び目を付ける方法、（５）巻き上げ用糸６として一方向にのみ移動可能な機構（例えばラチェット機構）を有するものを用いる方法などが挙げられる。これらの固定手段のうち、巻き上げ用糸６を引いた状態のまま摩擦力によって当該状態を維持することができる（２）〜（５）の手段を用いることが好ましい。
【００３０】
所望により以上の操作を繰り返し、所定時間放置する。その後、巻き上げ用糸６に取り付けたクリップ１２を外し、毛髪の巻き上げ状態を解除する。引き続き毛髪を毛髪保持具２から取り出し、すすぎ洗いをし、更にシャンプー及びブローをする。
【００３１】
この染毛方法の別法として、図３に示すように、染毛剤Ｄを、毛髪保持具２の内面に施しておく方法が挙げられる。この方法によれば、毛髪の挿入後に染毛剤を毛髪取り込み口４から供給する操作を省くことができる。
【００３２】
次に、毛髪処理方法の別実施形態としてパーマネントウエーブ処理を例にとり説明する。このパーマネントウエーブ処理については、前述した染毛処理と異なる点についてのみ説明し、特に説明しない点は染毛処理と同様である。用いる毛髪処理器具としては、前述した染毛処理に用いたものと同様のものを用いることができる。但し、本実施形態においては、毛髪保持具２として、パーマネント処理剤に対して透過性の材料、例えば不織布や樹脂製ネットから構成されているものを用いている。
【００３３】
毛髪保持具２への毛髪の挿入操作まで〔図２（ａ）及び図２（ｂ）〕は、前述した染毛処理と同様である。但し、本処理方法においては、毛髪保持具２の下端部を閉じる必要はない。毛髪が毛髪保持具２内に挿入されたら、図２（ｄ）に示す、毛髪の巻き上げ操作を行う。毛髪保持具２への毛髪の挿入及び毛髪の巻き上げは、頭髪の全体でもよく或いは一部分でもよい。次に、図２（ｅ）に示すように、毛髪保持具２から引き出されている巻き上げ用糸６の根元をクリップ１２で係止する。この状態下に、毛髪保持具２に向けて第１のパーマネント処理剤（還元剤）を付与する。前述の通り毛髪保持具２はパーマネント処理剤に対して透過性の材料から構成されているので、パーマネント処理剤は毛髪保持具２を透過して毛髪に施される。所定時間放置後、毛髪保持具２に向けて第２のパーマネント処理剤（酸化剤）を付与し、再び所定時間放置する。これによって、毛髪保持具２内に挿入されている毛髪に対して、その巻き上げ形態のパーマネントウエーブがかけられる。その後、巻き上げ用糸６に取り付けられたクリップ１２を外し、毛髪の巻き上げ状態を解除する。引き続き毛髪を毛髪保持具２から取り出し、すすぎ洗いをし、更にシャンプー及びブローをする。
【００３４】
このパーマネントウエーブ処理の別法として、前述の操作において、毛髪の毛髪保持具２へ挿入後、その巻き上げ操作を行わない処理方法が挙げられる。この場合には毛髪にストレートパーマがかけられることになる。毛髪を一層ストレートにする観点から、毛髪保持具２を、可撓性はあるものの比較的剛性の高い材料から構成することが好ましい。
【００３５】
パーマネントウエーブ処理の更に別法として、第１のパーマネント処理剤を、毛髪保持具２の内面に施しておく方法が挙げられる（図３参照）。この方法によれば、毛髪の巻き上げ後に第１のパーマネント処理剤を毛髪保持具２の外部から付与する操作を省くことができる。
【００３６】
以上のパーマネントウエーブ処理によれば、毛髪の巻き上げを極めて簡単に且つ短時間で行うことができる。しかも、パーマネントウエーブ処理後に毛髪の巻き上げ状態を解除する操作を、ヘアカーラを用いた場合よりも、簡単に且つ短時間で行うことができる。
【００３７】
毛髪処理方法の更に別の実施形態として、巻き上げられた状態の毛髪に対して、所定の加熱手段によって該毛髪を加熱して、くせ付けをする処理方法が挙げられる。詳細には、濡れた状態又は乾いた状態にある毛髪を、図２（ａ）及び図２（ｂ）に示す手順にて毛髪保持具２内に毛髪を挿入、保持した後、図２（ｄ）に示すように毛髪を巻き上げ、小さく纏める。次に、図２（ｅ）に示すように、毛髪保持具２から引き出されている巻き上げ用糸６の根元をクリップ１２で係止する。この状態下にドライヤなどの加熱手段を用いて毛髪を加熱し、くせ付けをする。この処理方法の別法として、濡れた状態にある毛髪を、図２（ａ）、図２（ｂ）、図２（ｄ）及び図２（ｅ）に示す手順にて、毛髪保持具２と共にスパイラル状に巻き上げ、小さく纏め、この状態下に毛髪を自然乾燥させて、くせ付けをする方法がある。この方法を、例えば洗髪後就寝前に行えば、翌朝には毛髪に所望のくせ付けがされる。
【００３８】
本発明は前記実施形態に制限されない。例えば前記実施形態で用いられる毛髪保持具２においては、巻き上げ用糸６を毛髪保持具２の外面に保持するために、２列の挿通孔列８Ａ，８Ｂを形成したが、挿通孔列は一列のみでも良い。
【００３９】
また前記実施形態においては、毛髪処理器具１は、毛髪保持具２及び毛髪挿入具３の２部材から構成されていたが、これに代えて、図４に示すように、毛髪保持具２及び毛髪挿入具３に加えて挿入補助具２１の３部材から構成される毛髪処理器具１を用いてもよい。挿入補助具２１は逆円錐体形状をしており、剛性の高い材料から構成されている。特に、毛髪保持具２よりも剛性の高い材料から構成されていることが、毛髪の挿入性の向上の点から好適である。挿入補助具２１には、該挿入補助具２１をその長さ方向に貫き且つ入口２２Ａ及び出口２２Ｂを有する貫通路２２Ｃが形成されている。貫通路２２Ｃは入口２２Ａから前記出口２２Ｂに向けて漸次縮径している。入口２２Ａの径は、毛髪保持具２における最細部の径よりも小さくなっている。毛髪挿入具３の把持部９は、挿入補助具２１の貫通路２２Ｃを入口２２Ａから出口２２Ｂに向けて貫通している。貫通した把持部９は、更に毛髪保持具２の毛髪取り込み口４に挿通されている。本実施形態の毛髪処理器具１によれば、毛髪保持具２の毛髪取り込み口４の剛性が低い場合であっても毛髪の挿入性が向上するという利点がある。また、毛髪挿入具３を用いて毛髪を毛髪保持具２内に挿入するときに、挿入補助具２１が、比較的扁平になりがちである毛髪保持具２を円筒状に膨らませるので、これによっても毛髪の挿入性が向上するという利点がある。尚、挿入補助具２１は、逆円錐体形状の他に、逆角錐体形状などの各種逆錐体形状とすることができる。
【００４０】
図４に示す実施形態の毛髪処理器具１の変形例として、挿入補助具２１の入口２２Ａの径が、毛髪保持具２の毛髪取り込み口４の径よりも大きくなっている実施形態が挙げられる。この場合には、毛髪挿入具３を用いて毛髪を毛髪保持具２内に挿入するときに、挿入補助具２１は、毛髪取り込み口４によって毛髪保持具２内に挿入されることが規制されて、毛髪取り込み口４の部分に留まることになる。この場合においても、挿入補助具２１によって毛髪の挿入性が向上するという利点がある。
【００４１】
また毛髪保持具２として、図５〜図１１に示すものを用いることもできる。尚、図５〜図８及び図１１においては、簡便のため、毛髪挿入具の図示を省略してある。また、図５〜図１１に示す実施形態において特に説明しない点については、前述の実施形態に関する説明が適宜適用される。図５（ａ）〜図５（ｃ）に示す毛髪保持具２は、これを正面から視たときに、その長手方向に沿って所定間隔をおいて形成された第１の挿通孔列８Ａと、該第１の挿通孔列８Ａの各挿通孔と対向する位置に形成された第２の挿通孔列８Ｂとを有している。本実施形態における挿通孔は、図１に示す毛髪保持具における挿通孔と異なり、各挿通孔は１個の小孔から成っている。巻き上げ用糸６は、その一端が、第１の挿通孔列８Ａにおける毛髪保持具２の下端部に最も近い挿通孔７（この挿通孔を、第１列下端挿通孔という）の位置において引き抜かれないようになされている。具体的には、巻き上げ用糸６の一端を、第１列下端挿通孔の付近で毛髪保持具２に固定することで、その引き抜きを防止している。
【００４２】
巻き上げ用糸６の他端は、第１列下端挿通孔に対応する第２の挿通孔列８Ｂの挿通孔を挿通している。更に巻き上げ用糸６の他端は、毛髪保持具２の下端部よりも下側（外側）を通って第１列下端挿通孔の直上に位置する挿通孔を、第１の挿通孔列８Ａ及び第２の挿通孔列８Ｂの順に挿通している。以降この挿通が順次所望の回数繰り返される。そして最後に、巻き上げ用糸６の他端は、第２の挿通孔列８Ｂの挿通孔を挿通している。
【００４３】
本実施形態の毛髪保持具２を具備する毛髪処理器具を用いた毛髪処理方法においては、毛髪挿入具を用いて毛髪保持具２内に毛髪を挿入した後、毛髪処理剤を施す前又は施した後に、毛髪保持具２に取り付けられている巻き上げ用糸６の自由端を引っ張る。この引っ張りによって、図５（ｃ）に示すように、毛髪保持具２は毛髪（図示せず）と共に巻き上げ用糸６を引っ張り方向に、つまり毛髪保持具２の下端部から毛髪取り込み口に向けてロール状に巻き上げられる。そして、その巻き上げ状態を保持するために、毛髪保持具２から引き出されている巻き上げ用糸６の根元をクリップ（図示せず）で係止する。
【００４４】
本実施形態によれば、ヘアカーラを用いた毛髪の巻き上げ形態と同様の巻き上げ形態を実現することができるので、美容院で通常行われているヘアカーラを用いた毛髪の巻き上げ操作が不要となる。尚、図５（ａ）〜図５（ｃ）に示す実施形態においては、巻き上げ用糸６を１本用いたが、２本用いてもよい。巻き上げ用糸を２本用いることで、巻き上げ操作を一層容易に且つ確実に行うことができる。その場合には、毛髪保持具２を正面から視たときに、長手方向の両側部に、各１本ずつの巻き上げ用糸を前述の手順で挿通すればよい。
【００４５】
図６（ａ）及び図６（ｂ）に示す毛髪保持具２では、該毛髪保持具２の長手方向に伸びる巻き上げ用糸６が、ぐし縫い状に毛髪保持具２を貫通するように取り付けられている。詳細には、毛髪保持具２を正面から視たときに、巻き上げ用糸６が、毛髪保持具２の正面側と背面側とを交互に通過するように、毛髪保持具２に取り付けられている。巻き上げ用糸６は、毛髪保持具２の最下端に位置する挿通孔７の位置において引き抜かれないようになされている。具体的には、巻き上げ用糸６の一端を、毛髪保持具２の下端部付近で毛髪保持具２に固定することで、その引き抜きを防止している。一方、毛髪取り込み口４に最も近い位置にある挿入孔７においては、巻き上げ用糸６が自由状態となっている。図示していない毛髪挿入具における把持部は、毛髪保持具２内にストレートに挿入されている。
【００４６】
本実施形態の毛髪保持具２を具備する毛髪処理器具を用いた毛髪処理方法においては、毛髪保持具２に取り付けられている巻き上げ用糸６の自由端を引っ張る。すると、毛髪保持具２は毛髪（図示せず）と共に蛇腹状に折り畳まれ、毛髪は略ジグザグ形に屈曲される。そして、その屈曲状態を保持するために、毛髪保持具２から引き出されている巻き上げ用糸６の根元をクリップ（図示せず）で係止する。
【００４７】
毛髪挿入具３における把持部が図６（ｃ）に示すように、毛髪保持具２内を通過する巻き上げ用糸６の間を縫うように蛇行して挿通されている場合には、毛髪の挿入後、巻き上げ用糸６の自由端を引っ張ることで、毛髪保持具２は蛇腹状ではなく、スパイラル状に巻き上げられる。
【００４８】
図７（ａ）〜図７（ｃ）に示す毛髪保持具２は、第１の帯状シート１３Ａ及び第２の帯状シート１３Ｂの２枚の帯状シートを重ね合わせ、両側部を互いに接合して筒状に形成されている。２枚の帯状シートは同形になっている。２枚の帯状シートのうち、第１の帯状シート１３Ａは熱収縮性を有している。他方の帯状シートである第２の帯状シート１３Ｂは熱収縮性を有していない。本実施形態の毛髪保持具２を具備する毛髪処理器具を用いた毛髪処理方法においては、毛髪挿入具を用いて毛髪保持具２内に毛髪を挿入した後、毛髪処理剤を施す前又は施した後に、図７（ｂ）に示すように毛髪保持具２に熱を付与する。熱の付与手段としては、例えばヘアドライヤを用いることが簡便である。熱の付与によって、毛髪保持具２を構成する一方のシートである第１の帯状シート１３Ａが熱収縮する。しかし、他方のシートである第２の帯状シート１３Ｂは熱収縮しない。その結果、両シート間で収縮に差が生じ、図７（ｃ）に示すように、毛髪保持具２はそれに挿入されている毛髪と共に、第１の帯状シート１３Ａ側を内側としてロール状に巻き上げられる。この巻き上げ形態は、毛髪保持具２への熱の付与を止めた後も保持される。従って、前述した各実施形態の毛髪保持具と異なり、本実施形態の毛髪保持具には、巻き上げ形態を保持するための手段が不要であるという利点がある。尚、本実施形態においては２枚の帯状シートから筒状の毛髪保持具２を形成したが、これに代えて３枚以上の複数の帯状シートを用い、各帯状シートの長手方向側部を互いに接合して筒状の毛髪保持具を形成してもよい。そして、各帯状シートのうちの少なくとも１枚の帯状シートとして熱収縮性シートを用い、その他の帯状シートとして熱収縮性を有していないシートを用いる。この場合、熱収縮性シートが、毛髪保持具の巻き上げ手段となる。
【００４９】
図８に示す毛髪保持具２は、縦長の帯状シートを筒状に形成したものである。そして、これをロール状に巻き上げた状態で、該状態が保持されるように、所定の手段によってくせ付けをする。これによって、毛髪保持具２は、これをその長手方向に引き伸ばした状態にして、その状態から解放すると、ロール状に巻き上げられた状態へと自発的に巻き上げられる。毛髪保持具２にくせ付けをするためには、帯状シートの構成材料として所定の形状に形成された弾性変形可能な材料を用いることが簡便である。該弾性変形可能な材料としては、ポリエチレンテレフタレート、ポリプロピレン、ポリスチレン、ポリアクリロニトリルなどが挙げられる。これらの弾性変形可能な材料を用いて毛髪保持具２にロール状のくせ付けをするには、毛髪保持具２をロール状に巻き上げ、所定の手段によってその巻き上げ形態を保持し、その状態下に毛髪保持具２を所定温度に加熱すればよい。本実施形態の毛髪保持具２を具備する毛髪処理器具を用いた毛髪処理方法においては、毛髪挿入具を用いて毛髪保持具２内に毛髪を挿入した後、引き伸ばした状態にある毛髪保持具２の引き伸ばし状態を解除すれば、毛髪保持具２は自発的に巻き上げられる。従って、本実施形態の毛髪保持具は巻き上げ操作が全く不要である。その上、本実施形態の毛髪保持具は、図７（ａ）〜図７（ｃ）に示す実施形態の毛髪保持具と同様に巻き上げ形態を保持するための手段が不要であるという利点もある。尚、本実施形態においては、巻き上げ形態としてロール状の形態を例示したが、この他に、目的に応じ、蛇腹状、ジグザグ状、スパイラル状などの種々の形態とすることができる。
【００５０】
図９及び図１０に示す実施形態の毛髪処理器具１は、これまでに述べた毛髪処理器具と異なり、毛髪保持具が筒状となっていない。詳細には、図９に示す毛髪処理器具１においては、毛髪保持具２が、短冊状の一枚のシート１６からなると共に該毛髪保持具２の巻き上げ手段としての巻き上げ用糸６を備えている。短冊状のシート１６には、長手方向に延びる中心線に沿って、毛髪取り込み口４としての毛髪挿入孔１７が所定間隔を置いて複数形成されている。毛髪挿入孔１７の周囲は、プラスチック板や厚紙の貼り付けによって、毛髪保持具２における他の部位よりも固く形成されている。毛髪保持具２が熱可塑性樹脂製の不織布からなる場合には、毛髪挿入孔１７の周囲を加熱し溶融固化させる処理によって該孔の周囲を固く形成することができる。また短冊状のシート１６は、その長手方向一側縁部に沿って所定間隔を置いて形成された複数の挿通孔７Ａからなる第１の挿通孔列８Ａと、他側縁部に沿って所定間隔を置いて形成された複数の挿通孔７Ｂからなる第２の挿通孔列８Ｂとを有している。シート１６の長手方向に関して、第２の挿通孔列８Ｂにおける各挿通孔７Ｂは、第１の挿通孔列８Ａにおける各挿通孔７Ａ間に位置している。具体的には、挿通孔７Ｂは、隣り合う挿通孔７Ａ間の中間に位置している。巻き上げ用糸６は、その一端が、第１の挿通孔列８Ａにおける毛髪保持具２の下端部に最も近い挿通孔７Ａの位置で固定されていると共にその他端は、該挿通孔７Ａを起点として、第２の挿通孔列８Ｂの挿通孔７Ｂと第１の挿通孔列８Ａの挿通孔７Ａとをこの順で前記下端部側から順次挿通し、最後に第２の挿通孔列８Ｂの挿通孔７Ｂを挿通している。これによって巻き上げ用糸６は、短冊状のシート１６の表裏に交互に配されていると共に毛髪保持具２の長手方向に延びる三角波形の軌跡を描いている。
【００５１】
一方、毛髪処理器具１における毛髪挿入具３は、その把持部９が、ぐし縫い状に短冊状のシート１６を貫通するように、該短冊状のシート１６に取り付けられている。詳細には、毛髪挿入具３の把持部９が、短冊状のシート１６の表裏に交互に配されるように隣り合う毛髪挿入孔１７を挿通している。
【００５２】
本実施形態の毛髪処理器具１を用いた毛髪処理方法においては、毛髪挿入具３におけるフック部１０に毛髪を引っかけ、次いで把持部９を引っ張ることで、毛髪が、短冊状のシート１６の表裏に交互に配されるように隣り合う毛髪挿入孔１７を挿通される。この状態下に、毛髪保持具２に取り付けられている巻き上げ用糸６の自由端を引っ張る。その結果、毛髪保持具２は、毛髪と共にスパイラル状ないし蛇腹状に巻き上げられる。そして、その巻き上げ状態を保持するために、毛髪保持具２から引き出されている巻き上げ用糸６の根元をクリップ（図示せず）で係止する。
【００５３】
図１０に示す毛髪処理器具１においては、毛髪保持具２が、何れも細帯状である第１のシート１８Ａと第２のシート１８Ｂとから構成されている。両シート１８Ａ，１８Ｂは、その長手方向に亘って所定間隔を置いて接合されている。この接合によって、接合部１９と、毛髪取り込み口４としての環状の毛髪挿通部２０とが交互に形成されている。各接合部１９にはそれぞれ挿通孔７が形成されている。毛髪挿通部２０を構成する環状部は、プラスチック板や厚紙の貼り付けによって、毛髪保持具２における他の部位よりも固く形成されている。また毛髪保持具２は、巻き上げ手段としての巻き上げ用糸６を備えている。そして巻き上げ用糸６は、第１のシート１８Ａ側と第２のシート１８Ｂ側とに交互に配されるように隣り合う挿通孔１９を挿通している。巻き上げ用糸６の一端は、毛髪保持具２の下端部に位置する挿通孔の位置で固定されている。一方、巻き上げ用糸６の他端は、毛髪保持具２の上端部に位置する挿通孔１９に挿通され、自由端となっている。
【００５４】
一方、毛髪処理器具１における毛髪挿入具３は、その把持部９が、隣り合う毛髪挿通部２０をぐし縫い状に挿通している。
【００５５】
本実施形態の毛髪処理器具１を用いた毛髪処理方法においては、毛髪挿入具３におけるフック部１０に毛髪を引っかけ、次いで把持部９を引っ張ることで、毛髪が、毛髪保持具２における隣り合う毛髪挿通部２０をぐし縫い状に挿通される。この状態下に、毛髪保持具２に取り付けられている巻き上げ用糸６の自由端を引っ張る。その結果、毛髪保持具２は、毛髪と共に蛇腹状に折り畳まれ、毛髪は略ジグザグ形又はスパイラル形に屈曲される。そして、その屈曲状態を保持するために、毛髪保持具２から引き出されている巻き上げ用糸６の根元をクリップ（図示せず）で係止する。
【００５６】
図１１（ａ）及び図１１（ｂ）に示す実施形態の毛髪保持具２は、これまで説明した実施形態の毛髪保持具と異なり、該毛髪保持具の巻き上げ手段を有していないものである。この毛髪保持具２は、一面（正面）及びこれと反対側に位置する他面（裏面）を有している。正面には、毛髪保持具２を所定の形状に巻き上げ、湾曲又は屈曲させて該正面と該裏面とを当接させたときに、該正面と該裏面とが接合して該所定の形状を保持し得る接合部が設けられている。具体的には、図１１（ａ）に示すように、毛髪保持具２を正面から視たときに、その正面側に、縦中心線に沿って係合手段１４が設けられている。一方、毛髪保持具２の裏面側において、係合手段１４と対向する位置に、該係合手段１４と係合する被係合手段１５が設けられている。係合手段１４及び被係合手段１５は、何れも毛髪保持具２の長手方向に延びている。係合手段１４及び被係合手段１５としては、面ファスナのフック部材及びループ部材が典型的な例として挙げられる。この係合手段１４は、毛髪保持具２の正面側を内側にして該毛髪保持具２をロール状に巻き上げたときに、毛髪保持具２の正面と裏面とが接合して該ロール状の形状を保持し得る接合部として機能する。詳細には、図示しない毛髪挿入具を用いて毛髪保持具２内に毛髪を挿入した後、下端部から毛髪取り込み口に向かって毛髪保持具２を巻き上げる。すると、図１１（ｂ）に示すように、前記正面側に設けられている係合手段１４が、前記裏面側に設けられている被係合手段１５と当接し両者が係合する。つまり、毛髪保持具２の正面と裏面とが接合する。その結果、毛髪保持具２は、その巻き上げ状態が保持される。
【００５７】
図１１（ａ）及び図１１（ｂ）に示す実施形態の変形例として、前述の係合手段１４及び被係合手段１５に代えて、それぞれ自己接着性テープ〔例えば仁礼工業製のふしぎテープ（商品名）〕を用いることもできる。更に別の変形例として、毛髪保持具２の内面に、両面粘着テープを長手方向に沿って貼着した形態のものがある。即ち、この変形例は、図１１（ａ）及び図１１（ｂ）に示す実施形態の毛髪保持具において、係合手段１４に代えて両面粘着テープを用い且つ被係合手段１５を設けない形態のものである。そして両面粘着テープは、毛髪保持具２の正面と裏面との接合部として機能する。この変形例によれば、被係合部材１５を設けない分だけ、図１１（ａ）及び図１１（ｂ）に示す実施形態の毛髪保持具よりも材料を削減することができる。尚、本実施形態は、毛髪保持具２をロール状に巻き上げた例であるが、これに代えて毛髪保持具２を湾曲又は屈曲させて他の形状としても同様の効果が奏される。また本実施形態では、毛髪保持具２の正面と裏面とを接合したが、これに代えて正面同士を接合して所定の形状となしてもよい。
【００５８】
以上の説明から明らかなように、本発明における毛髪保持具としては、細長筒形状のものや、閉じた開孔が長手方向に間欠的に複数設けられたものが好ましく用いられる。これによって、毛髪を確実に取り込んで保持することができ、また巻き上げた時にも毛髪の乱れを生じさせずに、きれいな巻き上げ形態を安定に維持することが可能となる。
【００５９】
尚、前述した毛髪処理器具及び毛髪処理方法に関する各実施形態の内容は、本発明の趣旨を逸脱しない範囲で相互に置換することができる。
【図面の簡単な説明】
【００６０】
【図１】本発明の毛髪処理器具の一実施形態を示す斜視図である。
【図２】図１に示す毛髪処理器具を用いた毛髪処理方法の工程図である。
【図３】毛髪保持具の別の実施形態を示す図である。
【図４】毛髪処理器具の別の実施形態を示す図である。
【図５】毛髪保持具の別の実施形態を示す図である。
【図６】毛髪保持具の別の実施形態を示す図である。
【図７】毛髪保持具の別の実施形態を示す図である。
【図８】毛髪保持具の別の実施形態を示す図である。
【図９】毛髪処理器具の別の実施形態を示す図である。
【図１０】毛髪処理器具の別の実施形態を示す図である。
【図１１】毛髪保持具の別の実施形態を示す図である。
【符号の説明】
【００６１】
１  毛髪処理器具
２  毛髪保持具
３  毛髪挿入具
４  毛髪取り込み口
５  チャック
６  巻き上げ用糸
７  挿通孔
８Ａ，８Ｂ  挿通孔列
９  把持部
１０  フック部
【図１】
2005246100.tif 000003
【図２】
2005246100.tif 000004
【図３】
2005246100.tif 000005
【図４】
2005246100.tif 000006
【図５】
2005246100.tif 000007
【図６】
2005246100.tif 000008
【図７】
2005246100.tif 000009
【図８】
2005246100.tif 000010
【図９】
2005246100.tif 000011
【図１０】
2005246100.tif 000012
【図１１】
2005246100.tif 000013
【手続補正書】
【提出日】平成17年7月21日(2005.7.21)
【手続補正１】
【補正対象書類名】特許請求の範囲
【補正対象項目名】全文
【補正方法】変更
【補正の内容】
【特許請求の範囲】
【請求項１】
一端部に毛髪取り込み口を有する細長形状の毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、前記毛髪挿入具における前記フック部はループ形状であってその周長が前記毛髪取り込み口の周長よりも大きくなされていると共に該フック部が変形可能になされている毛髪処理器具。
【請求項２】
一端部に毛髪取り込み口を有する細長形状の可撓性材料からなる毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、
前記毛髪保持具は、一面及びこれと反対側に位置する他面を有し、該一面には、該毛髪保持具を所定の形状に巻き上げ、湾曲又は屈曲させて該一面と該他面とを当接させたときに、該一面と該他面とが接合、又は該一面同士が接合して該所定の形状を保持し得る接合部が設けられている毛髪処理器具。
【請求項３】
前記毛髪保持具が細長筒形状からなり、その一端部が前記毛髪取り込み口となっている請求項１又は２記載の毛髪処理器具。
【請求項４】
前記毛髪処理器具の使用前に、前記毛髪挿入具が、予め前記毛髪保持具に取り付けられている請求項１〜３の何れかに記載の毛髪処理器具。
【請求項５】
前記毛髪保持具が、毛髪処理剤に対して透過性又は非透過性を有する請求項３記載の毛髪処理器具。
【請求項６】
前記毛髪保持具が、該毛髪保持具内に挿入された毛髪の巻き上げ、湾曲又は屈曲手段を有している請求項１又は２記載の毛髪処理器具。
【請求項７】
前記毛髪保持具の他端部が開閉可能になされている請求項３記載の毛髪処理器具。
【請求項８】
前記フック部が櫛歯を有している請求項１又は２記載の毛髪処理器具。
【請求項９】
前記毛髪保持具の内面に、毛髪処理剤が施されている請求項３記載の毛髪処理器具。
【請求項１０】
請求項３記載の毛髪処理器具における前記フック部に所望量の毛髪を引っかけ、この状態下に前記毛髪挿入具を前記毛髪保持具における一端部である前記毛髪取り込み口から他端部に向かって引き抜いて前記毛髪を前記毛髪保持具内に挿入し、次いで毛髪処理剤を前記毛髪取り込み口から前記毛髪保持具内に供給するか、又は毛髪処理剤を前記毛髪保持具に向けて付与する毛髪処理方法。
【請求項１１】
前記毛髪処理剤が染毛剤であり、前記毛髪保持具が該染毛剤に対して非透過性を有し、該毛髪保持具における他端部を閉じた後に、前記毛髪取り込み口から該染毛剤を該毛髪保持具内に供給する請求項１０記載の毛髪処理方法。
【手続補正２】
【補正対象書類名】明細書
【補正対象項目名】０００５
【補正方法】削除
【補正の内容】
【手続補正３】
【補正対象書類名】明細書
【補正対象項目名】０００７
【補正方法】削除
【補正の内容】